(57)【要約】      （修正有）【課題】放射線防護と保護される人への低い機械的負荷とを組み合わせることができる放射線防護服を提供する。【解決手段】放射線防護服装置(１)は、放射線防護材料から成り使用状態にて底縁部で内部空間を囲む柔軟性のあるコート(２)と、重量軽減装置を有して特定される。重量軽減装置は、コート(２)に接続され、重力方向に分布した複数の位置でコート(２)の重量を吸収する支持骨格(３)として具体化され、支持骨格(３)は、使用状態で下にある面上に設置することができ、重力方向において内部空間の延長内に配置されている支持装置(１１)に接続されている。【選択図】図２
2019191162.tif 000002
【特許請求の範囲】
【請求項１】
放射線防護材料から成り使用状態にて底縁部(７０)で内部空間を囲む柔軟性のあるコート(２)と、重量軽減装置を有する放射線防護服装置において、
重量軽減装置は、コート（２）に接続され、重力方向に分布する複数の位置でコート（２）の重量を吸収する支持骨格（３）として具体化され、支持骨格(３)は支持装置(１１；４６、４７)に接続されて、該支持装置は使用状態で下にある面上に設置されて、かつ重力方向において前記の内部空間の延長内に配置されている、放射線防護服装置。
【請求項２】
支持骨格(３)は移動可能に具体化される、請求項１に記載の放射線防護服装置。
【請求項３】
支持装置(１１)は少なくとも１つのキャスタ(１２)を備える、請求項１又は２に記載の放射線防護服装置。
【請求項４】
支持装置(４４、４５、４６、４７、４８a、b)は、足取付け具(５６、５７)及び/又は脚部取付け具(４９a、b)を備える、請求項１乃至３の何れかに記載の放射線防護服装置。
【請求項５】
コート(２)及び/又は支持骨格(３)は支持装置(１１)の周りにバランスのとれた質量分布を有する、請求項１乃至４の何れかに記載の放射線防護服装置。
【請求項６】
支持装置(１１)は、底縁部(７０)を越えて内部空間から外へ延びる脚部の移動空間の外側に配置されている、請求項１乃至５の何れかに記載の放射線防護服装置。
【請求項７】
支持装置(１１)は、高さ調整可能である、請求項１乃至６の何れかに記載の放射線防護服装置。
【請求項８】
支持骨格(３)は少なくとも一部が織物材料で覆われる、請求項１乃至７の何れかに記載の放射線防護服装置。
【請求項９】
支持骨格(３)はコート(２)に一体化される、請求項１乃至８の何れかに記載の放射線防護服装置。
【請求項１０】
支持骨格(３)の少なくともいくつかの要素(２８ａ-ｄ、３０ａ-ｄ)は、長さが可変であり、及び/又は変形可能であるように具体化されている、請求項１乃至９の何れかに記載の放射線防護服装置。
【請求項１１】
コート(２)は、長さ可変要素及び/又は変形可能要素(２８ａ-ｄ、３０ａ-ｄ)のうちの少なくとも１つの領域内に余分な長さを有する、請求項１０に記載の放射線防護服装置。
【請求項１２】
支持骨格(３)は金属及び/又はプラスチックから形成される、請求項１乃至１１の何れかに記載の放射線防護服装置。
【請求項１３】
支持骨格(３)はフレームワーク構造(１７ａ)及び/又は多孔板の構造(１７ｂ)を含む、請求項１乃至１２の何れかに記載の放射線防護服装置。
【請求項１４】
支持骨格(３)は、重力方向に向かって下方に増大する局所的な耐荷重能力を有する、請求項１乃至１３の何れかに記載の放射線防護服装置。
【請求項１５】
支持骨格(３)の要素間の少なくとも１つの可動な接続部はリセット手段を含む、請求項１乃至１４の何れかに記載の放射線防護服装置。
【発明の詳細な説明】
【技術分野】
【０００１】
本発明は、本発明は、放射線防護材料から成り、使用状態において内部空間を底部縁で囲む柔軟性のあるコートと、重量軽減装置を有する放射線防護服装置に関する。
【背景技術】
【０００２】
放射線への曝露を伴って行われる診断的、治療的又は外科的措置について、医師及び他の医療関係者は、例えばＸ線防護服の形の特別な放射線防護服の着用に依存している。Ｘ線防護服は、Ｘ線が医療従事者の人体に悪影響を及ぼすことを妨げる。原子力環境でも放射線に対する防護が必要である。満足のいく保護効果を生み出すためには、放射線防護材料にある程度の厚さを付与する必要があり、それは対応して大きな質量の被覆をもたらす。この場合、5から10 kg以上の質量が普通である。人がこのタイプのコートを着ていると、可成りの身体的負担がかかる。この大きな荷重負荷は、疲労症状、腰痛、体位奇形、及び筋肉の緊張を引き起こす可能性がある。処置中に患者に集中する能力は害される可能性がある。体の持続的な過剰な緊張は、例えば脊椎関節、椎体、及び椎間板への長期にわたる損傷をもたらし得る。
【０００３】
従って、光線に対する適切な保護と、より大きな装着快適性及びより低い歪みとを組み合わせるための対策がすでに提案されている。例えば、ヨーロッパ特許1052651号は、コートの重さが保護されている人の肩によって支えられるだけでなく、例えばその人の後部の腰に追加の支持ポイントを提供する可能性を示している。同様の構成はまた、米国特許3052799号又は米国特許5834789号より公知である。この場合、コートの全重量は、保護されている人の腰に吸収される。同様の構成はまた、米国特許4766608号から公知である。
【０００４】
しかし、そのような放射線防護服装置において、保護されている人は依然としてコートの全重量を担っているので、重量の負荷は単に背中から他の身体部分、例えば膝に移されるだけである。
【０００５】
Ｘ線に対する保護の他の可能性は、米国特許5220175号、米国特許5015864号、又は米国特許8925553号に記載されている。ここではＸ線保護シールドが示されており、その後ろに保護される人が位置する。しかしながら、この種のＸ線防護シールドは、保護される人が患者に対して処置を実行したいときに、保護される人の周囲に到達(reach)しなければならない点で、障害物である。更に、この種の保護シールドは、転倒を防止するために、比較的大きな空間、即ち、床上に比較的大きな設置面積を必要とし、これは、保護される複数の人が集まって患者に手術を行う必要があるときに問題を引き起こす。しかし、このような状況はしばしば外科的処置の間に起こり、一緒に働くことができるためには、足と足が近接した状況(foot-to foot situation)が必要である。
【０００６】
保護のための別の可能性は、部屋の天井にレール構成又はクレーン構成を設けることであり、その構成はコートを担持する。そのような可能性は、米国特許8558204号又は米国特許公開20090256044号に示される。レール構成又はクレーン構成はコートの重量を十分に受け入れることができるが、保護される人の動作の選択を制限する、何故なら人はレール構成又はクレーン構成の範囲案でしか動くことができないからである。特に部屋の変更が必要な時に、この種のＸ線に対する保護構成は努力の増加を伴ってしか用いられないからである。
【０００７】
冒頭に記載されたタイプの放射線防護服装置は、例えば米国特許8674330号から公知である。この場合、コートは4つのキャスタによって床面上に支持されたフレームに懸架される。４つのキャスタは転倒を防ぐために、比較的大きな設置面積を形成する必要がある。
同様の構成はまた、米国特許8777168号からも公知である。ここで、コートはスタンド上の肩領域から懸架される。
【０００８】
両方の場合にて、比較的大きな面積と空間が必要となるので、この種の放射線防護服装置は、保護される複数の人が互いに比較的近接した位置に立たなければならない、例えば上記の足と足が近接した状況にある手術室では使用することができない。更に、このタイプの放射線防護服の配置は、多くの場合、保護される人の動きの選択肢を制限する。
【０００９】
本発明の目的は、可能な限り最高の放射線防護と保護される人への低い機械的負荷とを組み合わせることである。
【発明の概要】
【００１０】
本発明の目的は、冒頭に記載されたタイプの放射線防護服装置を用いて達成され、重量軽減装置は、コートに接続され、重力方向に分布する複数の位置でコートの重量を吸収する支持骨格として具体化され、支持骨格は、使用状態で下にある表面上に設置することができる支持装置に接続されており、支持装置は重力方向で内部空間の延長内に配置されている。
【００１１】
この種の放射線防護服装置において、コートの重量は、床又は保護される人が立っている下にある表面、例えば手術台のプラットホーム上に支持装置を介して殆ど完全に逸らすことができる。従って、支持装置は、コートを越えて外向きに突出することはなく、従って、保護される複数の人が密接に一緒に立っていることを妨げない。保護される人が動くとき、支持装置が他の物体、例えば手術台などにぶつかる危険性も低い。コートはまた、もはや肩部領域のみで支持骨格上に懸架されているのではなく、むしろ重力方向に分布している複数の取付け点を有している。これらの点は放射線防護服装置の転倒の危険性を減らす。保護される人はコートの重さから事実上完全に解放されることができ、転倒力に対して大凡重力方向に垂直に立っているコートを支えるのに最小限の力を加えることのみが必要であり、転倒力は上記で説明したように、支持骨格にコートが分散されて取り付けられている故に小さい。
【００１２】
本発明は、Ｘ線防護服装置に基づいて記載されている。ここで、Ｘ線は一般に特定のサブタイプの光線を構成する。従って、本発明は、一般に、人間にとって危険となり得る他の光線に対して使用することもできる。
【００１３】
支持骨格は移動可能であるように具体化されているのが好ましい。支持骨格は剛体ではなく、むしろ移動可能従って柔軟であるから、支持骨格はコートと一緒に保護されている人の動きに従うことができる。コート及び支持骨格はまた、保護される人の体の周囲に比較的しっかりと配置され、放射線防護服装置に必要な空間は小さいままであり、保護される複数の人が空間的に近接して一緒に働くことができる。支持骨格は、保護される人の身体にも適応することができ、即ち、支持骨格によって囲まれた内部空間を修正することができるのが好ましい。支持骨格は、より大きな人のためのより大きな内部空間とより細い人のためのより小さな内部空間とを囲むことができる。支持骨格が移動可能、即ち変形可能であるように具体化される場合、支持装置が重力方向において内部空間の延長内に配置されることは必ずしも必要ではない。支持骨格の可動性により、放射線防護服装置によって保護される人の可動域は幾分拡大され、支持装置が重力方向で内部空間の延長から僅かに外側に位置することもある程度許容される。
【００１４】
支持装置は少なくとも１つのキャスタを備えるのが好ましい。従って、支持装置は、床又は下にある面を低摩擦で横切って動くことができ、保護される人は、放射線防護服装置と共に床を横切って移動するときに大きな抵抗を克服する必要はない。１つのキャスタの代わりに２つ、３つ、４つ又はそれ以上のキャスタを使用することもできる。その場合、これらのキャスタは全て、重力方向において内部空間の延長内に配置されることが好ましい。
【００１５】
代替の実施形態において、支持装置は、足取付け具及び/又は脚部取付け具を備える。保護される人は、足又は下位の脚部を足取付け具に接続する。保護される人が足を動かせば、支持装置もまた動く。しかし、支持装置はまた、コートの重量を床又は下にある面にそらす。
【００１６】
好ましい実施形態において、コート及び/又は支持骨格は、支持装置の周りにバランスのとれた質量分布を有すると。従って、垂直配置では、放射線防護服装置は平衡状態にある、すなわち、もっぱら偏在質量分布に起因する偏在モーメントが実質的にないか又はごく僅かしかないからである。保護される人が例えば上半身を前に傾けるなどして体の姿勢を変えることで、保護される人からわずかな傾斜モーメントが生じることがある。しかし、保護される人の身体に付随する負荷は比較的小さく、そして容易に吸収することができる。いずれにせよ、それらはコートの重量によって引き起こされる負荷よりもかなり小さい。
【００１７】
支持装置は底縁部を超えて内部空間の外側に延びる脚部の移動空間の外側に配置されるのが好ましい。脚部の移動空間は保護される人が通常脚部を動かす空間である。それにより、脚部の移動空間は、放射線防護服装置を介して中心面の左右に僅かに偏心して配置される。支持装置が脚部の移動空間の外側に配置されている場合、支持装置は保護される人の脚部の動きを妨げない。例えば、１つだけのキャスタが付与されている場合、支持装置は前記の中心面上に配置される。支持装置はまた、コートの後側領域のより長い垂直セグメントを介して支持骨格に接続され得て、また、重力方向の下方領域においてのみＳ字状に湾曲させることができるので、外反膝を有する人も支持装置によって妨げられない。
【００１８】
支持装置は高さ調整が可能である。放射線防護服装置はこのように保護される人の体の異なるサイズに適合され得る。支持装置の高さ調節可能性はまた異なる目的にも利用できる。保護される人は、支持装置がその下にある面上に置かれることなく放射線防護服を着用する。比較的短時間の間、放射線防護服の全重量が保護される人の肩にかかる。保護される人はそれからつま先で立つか、又は別の方法で肩を十分な量だけ持ち上げる。支持装置の高さは、支持装置が床に乗るように調整することができる。保護される人が再び床に立っている通常の姿勢を取り戻すと、コートの肩領域と保護される人の肩との間に小さな距離が生じるので、保護される人はもはや放射線防護装置の重量を支える必要がない。
【００１９】
支持骨格は少なくとも一部が織物材料で覆われるのが好ましい。これは幾つかの利点を有する。一方では、魅力的な外側デザインを達成することができる。その一方で、触感を改善することができる。特に支持骨格がコートの内部に配置されている場合、保護される人の体と支持骨格との間に織物材料の層が設けられていると、支持骨格と人との直接接触が回避される。
【００２０】
支持骨格はコートに一体化されるのが好ましい。従って、支持骨格は外側からは目立たない。更に、保存中のコートを安定化する機能もある。コートがしわになり、そのため放射線防護材料が損傷を受ける危険性が減少する。
【００２１】
支持骨格の少なくとも幾つかの要素は、長さが可変であり、及び/又は変形可能であるように具体化されているのが好ましい。支持骨格の要素の変形可能な実施形態は、要素の可動接続に利用することができる。しかし、それは追加機能として提供され得る。支持骨格の要素の長さが可変である実施形態は後側領域において有利であり、例えば保護される人が自分の上半身を曲げることができる。
【００２２】
この場合において、コートは、長さ可変要素及び/又は変形可能要素のうちの少なくとも１つの領域内に余分な長さを有するのが好ましい。対応する要素がその最短の伸張部分を有する限り、コートはここで「折り目」を有することができる。保護される人が前方にもたれかかり、それに応じて背中を弓形に曲げるならば、コートは引き伸ばされて、コートの放射線防護機能が維持され、隙間は生じない。
【００２３】
支持骨格は、金属及び/又はプラスチックから形成されるのが好ましい。両方の場合において、適切な材料が選択されれば、比較的高い機械的安定性を示すにもかかわらず、低質量の支持骨格を形成することができる。
【００２４】
支持骨格はフレームワーク構造及び/又は多孔板の構造を含むのが好ましい。両方の場合とも、適切な安定性を犠牲にすることなく、支持骨格の質量を最小化できる可能性がある。
【００２５】
支持骨格は、重力方向に向かって下方に増大する局所的な耐荷重能力を有するのが好ましい。これは、重力方向における支持骨格の下方領域が重力方向における上方領域よりも全体的により多くの重量を吸収しなければならないという事実を説明する。このようにして、支持骨格の構成を頂部に向かって「細く」することができる。これは、保護される人が重力方向にて放射線防護服装置の上部領域に配置される手や腕と一般的に一緒に行動することから有益であり、手や腕は支持骨格によって最小限に妨げられるか、あるいは全く妨げられない。
【００２６】
有益な実施形態において、支持骨格の要素間の少なくとも１つの可動な接続部はリセット手段を含む。リセット手段は例えば、ばね又はガス圧力シリンダによって形成される。例えば、リセット手段がコート又は支持骨格の後側領域に設けられている場合、リセット手段は保護される人が背を丸めた位置から直立することをより容易にする。
【００２７】
他の態様において、本発明は、放射線防護材料を含み、使用状態において内部空間を底部縁で囲む柔軟性のあるコートと、重量軽減装置を有する放射線防護服装置に関し、重量軽減装置はコートに接続され、重力方向に分散された複数の位置でコートの重量を吸収する自己支持型の可撓性支持骨格として具体化される。支持骨格は、使用状態で下にある面に設置することができる支持装置に接続されている。
【図面の簡単な説明】
【００２８】
【図１】保護される人の上にある放射線防護服装置の第１の実施形態を示す。
【図２】図１に従った放射線防護服装置を示し、コートを透明で示す。
【図３】背を丸めた姿勢の人の上にある図２に従った放射線防護服装置を示す。
【図４】放射線防護服装置の第２の実施形態を示す。
【図５】放射線防護服装置の第３の実施形態を示す。
【図６】放射線防護服装置の第４の実施形態を示す。
【図７】放射線防護服装置の第５の実施形態を示す。
【図８】放射線防護服装置の第６の実施形態を示す。
【図９】着座した人の上にある図８に従った放射線防護服装置を示す。
【図１０】放射線防護服装置の簡略化した実施形態を示す。
【図１１】作動テーブルにおける足と足が近接した状況(foot-to foot situation)を示す概略図である。
【図１２】フレームワークの実施形態における支持骨格の断面の概略図である。
【図１３】多孔板の実施形態における支持骨格の断面の概略図である。
【発明を実施するための形態】
【００２９】
同一の及び関連する要素には、全ての図において同じ符号が与えられている。
全ての図面において、添字「A」は正面図を示し、添字「B」は側面図を示す。添字「C」は後面図を示し、添字「D」は上面図を示す。
本発明は、Ｘ線防護服装置を基に以下に記載される。しかし、例えば核エネルギーの分野における他の放射線にも等しく使用可能である。防護のタイプは使用される材料に依存する。従って、「Ｘ線防護服装置」という用語は、「放射線防護服装置」と容易に置き換えることができる。
【００３０】
図１及び図２は、放射線防護材料から成る可撓性のコート２と支持骨格３を有するＸ線防護服装置１の形式における放射線防護服装置を概略的に示し、支持骨格３は図１では見えないが図２のみに見える。本願の場合において、コート２は支持骨格３の外側に配置され、それによりコート２は支持骨格３を覆う。支持骨格３はコート２に一体化することもできる。内側では、支持骨格３はパッド入りの織物材料で覆われて、Ｘ線防護服装置１を快適に着用できるようにすることができる。
【００３１】
Ｘ線防護服装置１は人体を有する保護される人の上に示される。人体はコート２の内部空間内に位置する。それによって、コート２及び支持骨格３は、内部空間が可変サイズを有し、保護される人の異なるサイズに適応できるように十分に柔軟性がある。コート２は底縁部７０を含み、底縁部７０から保護される人の脚部７１が突出する。
【００３２】
重力方向の下端部にて、支持骨格３は支持装置１１に接続されており、支持装置１１の下端にはキャスタ１２が設けられ、キャスタ１２は旋回キャスタとして構成されているのが好ましい。支持装置１１はこのようにして、コート２及び支持骨格３を有するＸ線防護服装置の全重量を床又は保護される人の脚部７１が立っている下にある面に逸らすことができる。
図２に見られるように、支持骨格３はフレームワーク構造１６、１７を備える。図１３はフレームワーク構造１７ａの断面を概略的に示す。その代替例として、図１４は、フレームワーク構造１７ａの代わりに使用することができる多孔板の構造１７ｂを示す。
【００３３】
支持骨格３はコート２に接続され、即ち多数の箇所で接続され、支持骨格３は重力方向に分布したこれら多数の箇所でコート２の重量を吸収することができる。それにより、支持骨格３は、重力方向に向かって下方に増大する局所的な耐荷重能力を有し、これについては以下でさらに説明する。これは、支持骨格は、重力方向の上部領域において、重力方向の下部領域よりもコート２の軽い質量を支持しなければならないという事実を明らかにする。これは、重力方向のその上部領域、即ち、保護される人の腕部７２の領域において、支持骨格３をそれほど重要ではない方法で具体化することができ、従って移動する腕部７２を妨げないことを意味する。
【００３４】
コート２は、右側パネル４、左側パネル５、及び後部６を備える。コート２の使用待機状態又は閉じた状態にて、左側パネル５は右側パネル４に重なる。コート２を閉じた状態に固定するために、上側の面ファスナーベルト７が左側パネル５の内側に取り付けられており、このベルトは右側パネル４の対応する面ファスナー要素８に取り付けられて、コート２を閉じることができる。さらに下方に、別の面ファスナーベルト９が左側パネル５上に設けられ、そのベルトは右側パネル４上の対応する面ファスナー要素１０と相互作用する。
面ファスナーベルト７、９は放射線防護材料から成る。
【００３５】
支持骨格３は肩／背フレームワーク構造１５を含み、該肩／背フレームワーク構造１５は保護される人の肩の上に弓形に延びるが、放射線防護服装置が使用待機状態に装着された後では、肩に直接接触しない。
これを達成すべく、支持装置１１は高さ調整可能に具体化される。Ｘ線防護服装置１は保護される人の人体サイズに適合される。
【００３６】
高さ調整のために、例えばプッシュボタンの形態で作動装置１３が設けられ、この作動装置１３はロックを解除する。「正しい」高さに設定するために、保護される人は、自分のつま先で立って、Ｘ線防護服装置１を起立させる。ロックは作動装置１３を用いて解除され、支持装置１１は、支持キャスタ１２が床に載るまで重力の作用により下方に移動する。この状態にて、支持装置１１は再びロックされる。保護される人が床上に足底で再び立つと、肩／背フレームワーク構造１５と保護される人の肩との間に短い距離が生じ、保護される人に重量が負担されない。
【００３７】
作動装置１３は、例えば、下部の面ファスナー要素１０の開口部１４を通って案内され、従って作動装置１３の領域における放射線防護も可能にする。
支持骨格３に関する更なる詳細は、図２から続く。
以前に上記で述べたように、この場合、コート２は支持骨格３の外側に取り付けられ、支持骨格３はコート２の重量を吸収する。コート２を支持骨格３に外付けすると、視覚的、触覚的かつ機能的なユニットが得られる。
【００３８】
この時点で、支持骨格３をコート２の外側に設けることもできることに留意されたい。しかし、支持骨格３は、好ましくはコート２に一体化されている、即ち、支持骨格３はコート２と共にユニットを形成する。
【００３９】
支持骨格３は、右上フレームワーク構造１６、左上フレームワーク構造１７、前述の肩/背フレームワーク構造１５、右下フレームワーク構造１８、左下フレームワーク構造１９、及び後部運搬構造２３を備えている。フレームワーク構造１５−１９及び２３は、例えばヒンジ２６a、b及び２７e−hを介して互いに接続されている。ヒンジの代わりに、他の関節接続もまた提供され得る。フレームワーク構造１５−１９及び２３間の接続は、例えばスプリングロッド等の撓み可能な要素を介して達成され得る。
【００４０】
Ｘ線防護服装置１は、側部パネル４、５が折り畳まれて開いているという簡単な方法で着用することができる。従って、ヒンジ２６a、b及び２７e−hによって、簡単な手の動きにて右側パネル４を折り畳むことが可能になる。対応して、ヒンジ２６a、b及び２７e−hによって左側パネル５の外側への折り畳みが可能になる。後部及び腰部領域におけるＸ線防護服装置１の柔軟性は、可撓性コート２及び支持骨格３の可撓性特性によって促進され、これは後側及び前側領域における可撓性構造の相互作用による。前側領域の４つのヒンジ２７a−d及び後側領域の８つのヒンジ３１a―hは、４つのヒンジ２７a−dに離れて取り付けられた４つのロッド２８a―dとともに、保護される人の人体の大きさに合わせてＸ線防護服装置1を広範囲に適合させ、また、Ｘ線防護服の配置内で保護される人の対応する適切な可動性も可能にする。
【００４１】
図３に見られるように、ロッド２８ａ−ｄとレール３０ａ−ｄとの相互作用の結果として長さ可変である可撓性構造及び要素は、曲げ運動、すなわち腰の曲げ及び腰椎の曲げを可能にする。
【００４２】
支持装置１１はＸ線防護服装置１の中央平面の領域に配置され、即ち保護される人の脚部７１の間に配置され、より正確には脚部７１の移動範囲の外側に配置されている。移動範囲は、コート２の底縁部７０を越えて内部空間から外へ延びる。従って、支持装置１１は脚部７１の動きを邪魔しない。
換言すれば、支持装置は重力方向にて内部空間の延長内に配置されている。
【００４３】
Ｘ線防護服装置１のこの実施形態は、必要な空間が最小であり、手術台ＯＰ（図１１）などの比較的狭い場所にも装着することができる。このコンパクトな実施形態では、手術中に手術室の踏み台の上に立つことも可能である。図１１に示すような一般的な足と足が近接した状況(foot-to foot situation)が、Ｘ線防護服装置１を用いて達成され、各々がＸ線防護服装置１を着用している複数の人が、手術台ＯＰで一緒に働くことができる。
【００４４】
上記の如く、骨格は移動可能、すなわち本質的に変形可能であるように具体化されている。移動可能性は、個々の要素が関節式に互いに連結されているか、又は要素自体が変形可能であるという点で達成することができる。本質的に変形可能な支持骨格が使用される場合、支持装置は重力方向において内部空間の延長部の外側に配置されてもよく、たとえ支持装置を内部空間の重力方向の延長内に配置しても、この場合も同様に有利である。
【００４５】
図２Ｅは、支持装置１１の高さ調整が達成され得る方法を概略的に示す。支持装置１１は、後側のフレームワーク構造２３内に変位可能に取り付けられているが、この位置に固定又はロックすることができる。これは図２Ｅの例を介して示される。
Ｘ線防護服装置１を着用している保護される人が作動装置１３を作動させると、フック３６がロック位置から解放され、支持装置１１はフレームワーク構造２３に対して変位可能である。作動装置１３が手放された後、支持装置１１はフレームワーク構造２３に対して再びロックされる。
【００４６】
作動装置１３はハウジング２４上に配置されており、この場合では説明を簡単にするために円形のハウジング２４として示されている。実際には、ハウジング２４の形状は小さな役割を果たす。引張りワイヤ２５が円形ハウジング２４内に配置され、その一端は円形ハウジング２４内のワイヤファスナ３９に取り付けられている。引張りワイヤ２９の他端は、２つのスライドリング３８ａ、ｂ上に案内され、次いでハウジング２４から出る。作動装置１３は、２つのスライドリング３８ａ、３８ｂの間の引張りワイヤに作用する。作動装置１３が作動されると、引張りワイヤ２５は円形ハウジング２４内に引き込まれる。
【００４７】
引張りワイヤ２５は、方向転換装置４０ａ、ｂを通って支持装置１１の領域内の別のハウジング３０内に入り、この場合、ハウジング３０は「角形」ハウジングとして示されているが、正確な形状は重要ではない。角形のハウジングでは、引張りワイヤ２５によって作用されたときにフック３６をばね３７の力に抗して変位させることができる。従って、作動装置１３が作動されると、フック３６は角形ハウジング３０内に引き込まれる。作動装置１３が解放されると、フック３６は再びばね３７の力によってその初期位置に戻る。
【００４８】
図１３において、図１３に部分１７ｂが示されている支持骨格３は、重力の方向に向かって下方に増大する局所的な耐荷重能力を有することが分かる。この目的のために、部分１７ｂは重力方向に向かって下方に少なくなる穿孔を含む。穴の大きさと量は、このように重力方向で下に向かって減少し、Ｘ線防護服装置１の下部領域においてＸ線防護服装置１の全重量が支持骨格３によって吸収されて、Ｘ線防護服装置１の安定性を向上させる。
【００４９】
図４は、Ｘ線防護服装置１の修正された実施形態を示し、支持装置１１は２つの支持レール１１ａ、１１ｂに分割されており、各支持レールは重力方向の下端に支持キャスタ１２ａ、１２ｂを備えている。支持キャスタ１２ａ、１２ｂは旋回キャスタとして形成されていることが好ましく、接続要素３５ａ、３５ｂは夫々レール１１ａ、１１ｂに取り付けられている。しかしながら、レール１１ａ、１１ｂを有する支持装置１１は、重力方向が垂直である平面上でコート２を越えて突出しないように実施形態は選択される。換言すれば、支持装置１１は内部空間の重力方向の延長線内に配置されている。本願の場合、レール１１ａ、１１ｂを有する支持装置は、脚部７１の間ではなく、むしろ脚部７１の外側に配置されている。それにもかかわらず、２つの脚部７１の夫々の移動範囲は明確なままであるので、立っている間の脚部７１の前方及び後方への移動動作は依然として可能である。
【００５０】
図５は、第３の実施形態を示し、支持装置１１は３つのレール１１ａ、１１ｂ、１１ｃを含み、夫々のレールに旋回キャスタ１２、１２ｂ、１２ｃが接続要素３５ａ、３５ｂ、３５ｃを介して取り付けられている。この場合も、レール１１ａ、１１ｂ、１１ｃを有する支持装置は、重力方向における内部空間の延長線内に完全に配置されている。従って、旋回キャスタ１２ａ−１２ｃは、重力方向に対して垂直な方向にコート２を越えて突出しない。
【００５１】
図６は、第４の実施形態を示し、支持装置１１は４つのレール１１ａ−１１dを備え、夫々のレールに旋回キャスタ１２−１２dが接続要素３５ａ−３５dを介して取り付けられている。この場合も、旋回キャスタ１２ａ−１２dは、コート２を越えて、即ち重力方向に対して垂直な面を超えて外向きに突出しない。
【００５２】
図７は、Ｘ線防護服装置１の第５の実施形態を示し、Ｘ線防護服装置１は支持装置が下肢用の外骨格２２を含む点で、図１乃至図６に従った実施形態の支持装置とは異なる。外骨格２２は、２つのヒンジ６３ａ、６３ｂを介して右前ヒップリング４１及び左前ヒップリング４２に柔軟に取り付けられている開放型後側ヒップリング４３を備える。後側ヒップリング４３はさらに、右側ボールジョイント５０ａ及び左側ボールジョイント５０ｂを介して右側大腿部バー４４及び左側大腿部バー４５に関節接続されている。２つの大腿部バー４４、４５は、ボールジョイント５０ｂ、５０ｅを介して右側脛部バー４６及び左側脛部バー４７に接続されている。脛部バー４６、４７は、ボールジョイント５０ｃ、５０ｆを介してフットバー４８ａ、４８ｂに取り付けられている。１つの開放型リング４９ａ、４９ｂが夫々脛部バー４６、４７に取り付けられ、これらのリングを介して外骨格２２が保護される人の下肢に固定される。保護される人の脚部、即ち上脚及び下脚の動きを通して、外骨格２２は開放型リング４９ａ、４９ｂによって運ばれる。フットバー４８ａ、４８ｂはそれぞれベース部５１ａ、５１ｂに取り付けられている。
更に、１つの内側長円形プレート５２ａ、５２ｂ及び１つの外側長円形プレート５３ａ、５３ｂは夫々、後側プレート５４ａ、５４ｂ及び湾曲プレート５５ａ、５５ｂと同様にベース部５１、５１ｂに取り付けることができる。支持骨格３の一部である外骨格２２を介して、コート２の重量は床に完全に伝達される。保護される人は、開放型リング４９ａ、４９ｂを通してベース部５１、５１ｂに自分の足を置くことができる。開放型リング４９ａ、４９ｂ及びプレート５２ａ、５２ｂ、５３ａ、５３ｂ、５４ａ、５４ｂ及び５５ａ、５５ｂによって、外骨格２２は保護される人の下肢に固定され、脚部の移動中に自動的に運ばれる。ボールジョイント５０ａ、５０ｆ及び外骨格２２の下肢への固定により、外骨格２２は、例えば歩行動作中に、股関節、膝関節及び足首関節の自由な可動性を可能にする。従って、保護される人はＸ線防護服装置１と共に生理学的に動くことができ、地面に置かれている耐荷重支持構造にぶつからず、又は耐荷重支持構造を障害として知覚しない。
【００５３】
「外骨格」２２の語は、外骨格が実際にはコート２の外側に配置されていることを必ずしも意味しない。外骨格はまた、コート２に一体化され得る。
図７Ｅは、ボールジョイント５０の実施形態を示し、ボールジョイント５０は、ジョイントハウジング６０のボールソケット内に突出するボールヘッド５８を備える。ボールヘッド５８とジョイントハウジング６０との間に、弾性プラスチック製のブッシュ５９を設けることができる。ボールヘッド５８の反対側では、ロッドヘッド６１がジョイントハウジング６０の中空空間内に突出している。
【００５４】
図８にて、Ｘ線防護服装置１の第６の実施形態が示され、股関節及び膝領域におけるさらなる柔軟性を保証するさらなる可撓性要素２７ｅ−２７ｖが提供されて、例えば、図９に示すような手術室のスツール６２の上に座ることを可能にする。
【００５５】
図１０は、Ｘ線防護服装置１の第７の実施形態を示し、簡略化のために、支持骨格３は後部領域にのみ設けられている。コート２の快適性及びしわ防止性は前側領域では幾分減少するが、製造に必要な部品は少なくなる。
【００５６】
図１、図２及び図８乃至図１０は、支持装置１１は、Ｓ字形に構成されフレームワーク構造のセグメント２３ａを介して残りのフレームワーク構造２３に接続されていることを示している。従って、支持キャスタ１２をＸ線防護服装置１の重心の下方にて、重力方向に対して垂直な平面上に配置することが可能である。それによって、コート２及び/又は支持骨格３が支持装置の周りにバランスのとれた質量分布を有するとの利点がある。理想的には、Ｘ線防護服装置１の傾斜モーメントはない。しかしながら、実際には、保護される人によるＸ線防護服の使用中にわずかな傾斜モーメントが発生するが、このモーメントは保護される人によって大きな負担なしに吸収される可能性がある。
【００５７】
特に図３に示した曲げ能力に関して、リセット手段、例えばばねが支持骨格３の要素の間に設けられていると有利であり、該リセット手段により保護される人が背を丸めた位置から直立位置に戻ることを容易にする。明瞭性のために、これらのリセット手段は図示しない。
長さ可変要素２８ａ―２８ｄ、３０ａ−３０ｄの領域では、保護される人が曲がったときにコート２がコート自体を滑らかにする過剰な長さを有する（図３）。
【図１】
2019191162.tif 000003
【図２】
2019191162.tif 000004
【図３】
2019191162.tif 000005
【図４】
2019191162.tif 000006
【図５】
2019191162.tif 000007
【図６】
2019191162.tif 000008
【図７】
2019191162.tif 000009
【図８】
2019191162.tif 000010
【図９】
2019191162.tif 000011
【図１０】
2019191162.tif 000012
【図１１】
2019191162.tif 000013
【図１２】
2019191162.tif 000014
【図１３】
2019191162.tif 000015
【外国語明細書】
2019191162000001.pdf